(57)【要約】【課題】必要に応じて書籍類から簡単に取り外すことができるとともに、書籍類に取付けた状態において送受信障害を防止し得るＲＦＩＤタグの書籍類用取付けホルダーを提供する。【解決手段】書籍類の外部に配置されて、ＲＦＩＤタグ５を保持する保持片部２と、該保持片部２に連結片部３を介して連成されて、書籍類内に抜き差し可能に挿入される挿入片部４とを備えた構成とした。これにより、書籍類内へ挿入片部４を挿入することによってＲＦＩＤタグ５を書籍類に取付けると、ＲＦＩＤタグ５が書籍類の外部に保持されるため、送受信障害が発生せず、また、挿入片部４を書籍類から抜き取ることにより、ＲＦＩＤタグ５を書籍類から簡単に取り外すことができる。【選択図】図３
2011020308.tif 000002
【特許請求の範囲】
【請求項１】
データを書き換え可能に格納するメモリを具備したＩＣチップと、該ＩＣチップに接続されたアンテナとを備え、前記データを所定の入出力装置と非接触で送受信する機能を備えたＲＦＩＤタグを書籍類に着脱可能に取付けるためのホルダーであって、
書籍類の外部に配置され、ＲＦＩＤタグを保持する保持片部と、
該保持片部に連結片部を介して連成されて、書籍類内に抜き差し可能に挿入される挿入片部と
を備えてなることを特徴とするＲＦＩＤタグの書籍類用取付けホルダー。
【請求項２】
保持片部と挿入片部とが並列状に配置され、かつ該保持片部と挿入片部の上部側縁相互が連結片部を介して連結されて展開状態において略コ字形を呈するように形成され、保持片部に対して挿入片部が略直角に屈曲していることを特徴とする請求項１に記載したＲＦＩＤタグの書籍類用取付けホルダー。
【請求項３】
保持片部と挿入片部とが直交状に配置され、かつ該保持片部と挿入片部の上端縁相互が連結片部を介して連結されて展開状態において略Ｌ字形を呈するように形成され、連結片部に対して保持片部と挿入片部とが夫々同一方向に略直角に屈曲していることを特徴とする請求項１に記載したＲＦＩＤタグの書籍類用取付けホルダー。
【請求項４】
保持片部と挿入片部と連結片部とが、ＲＦＩＤタグの外装体により一体形成されていることを特徴とする請求項１乃至請求項３の何れか１項に記載したＲＦＩＤタグの書籍類用取付けホルダー。
【発明の詳細な説明】
【技術分野】
【０００１】
本発明は、ＲＦＩＤタグを書籍類に取付けるために使用するＲＦＩＤタグの書籍類用取付けホルダーに関する。
【背景技術】
【０００２】
ＲＦＩＤ（Radio Frequency Identification）システムで用いられる非接触型ＩＣタグ等のＲＦＩＤタグは、ＩＣチップとアンテナとを備えてなり、入出力装置（リーダ・ライタ）との間で電磁波を利用して非接触でコマンド，データ等の信号を送受信し得る機能がある。このＲＦＩＤタグは、入出力装置側のアンテナが放射する有効電磁波ゾーンに進入すると、ＲＦＩＤタグのアンテナが誘導起電力を生成し、該電力により動作状態となって入出力装置からのコマンド，データ等の信号を検出するとともに、そのコマンド信号に従ってデータの読み書きが可能なＩＣチップのメモリに受信データを格納したり、メモリに格納されているデータを入出力装置に送信するものであり、バーコードに比してデータの書き換えが可能，データ容量が大きい等の特長を有するため、近年、交通・レジャー分野，物流分野，セキュリティー分野，工場生産分野，環境分野，その他の幅広い分野で導入が進められている。
【０００３】
従来、このようなＲＦＩＤタグに書籍名や出版社名等の所要データを記憶させて書籍の管理に用いる場合、ＲＦＩＤタグを書籍の表紙や奥付け部分等に接着剤で貼付したり、埋設したりすることによって固定的に取り付けていた（例えば、特許文献１参照）。
【先行技術文献】
【特許文献】
【０００４】
【特許文献１】特開２００４−１１８６００（段落 [００１５] 、図１、図３）
【発明の概要】
【発明が解決しようとする課題】
【０００５】
ところで、上記のようにＲＦＩＤタグを書籍に対して固定的に取り付けてしまうと、書籍の販売時に取り外すことができないため、ＲＦＩＤタグを再使用することができないという問題点があった。
【０００６】
本発明は、かかる問題点を解決するためになされたものであり、必要に応じて書籍類から簡単に取り外すことができるＲＦＩＤタグの書籍類用取付けホルダーを提供することを目的とするものである。
【課題を解決するための手段】
【０００７】
本発明は、データを書き換え可能に格納するメモリを具備したＩＣチップと、該ＩＣチップに接続されたアンテナとを備え、前記データを所定の入出力装置と非接触で送受信する機能を備えたＲＦＩＤタグを書籍類に着脱可能に取付けるためのホルダーであって、書籍類の外部に配置され、ＲＦＩＤタグを保持する保持片部と、該保持片部に連結片部を介して連成されて、書籍類内に抜き差し可能に挿入される挿入片部とを備えてなることを特徴とするＲＦＩＤタグの書籍類用取付けホルダーである。
【０００８】
ここで、本発明でいう書籍類とは、むき出しの書籍や雑誌以外に、表表紙から背表紙を経て裏表紙を被覆し、その両端部が表表紙と背表紙の内側に折り込まれた表紙カバーを備えた書籍や、収納ケースに収納された記録済みＣＤ，ＤＶＤ，ブルーレイディスク等の光メディア、或いは包装箱に収納されたゲームソフト等の各種アプリケーションが記録されたメモリーカード等の記録メディア等からなる著作物を総称する概念である。また、ＲＦＩＤタグは、ＩＣチップとアンテナとを合成樹脂シート上に担持して構成したり、ＩＣチップとアンテナとを合成樹脂の支持シート上に配設し、これを合成樹脂の保護シートで被覆して構成され得る。そして、この支持シートと保護シートとにより外装体が構成される。
【０００９】
前記ＲＦＩＤタグの書籍類用取付けホルダーにあって、保持片部と挿入片部とが並列状に配置され、かつ該保持片部と挿入片部の上部側縁相互が連結片部を介して連結されて展開状態において略コ字形を呈するように形成され、保持片部に対して挿入片部が略直角に屈曲している構成が提案される。
【００１０】
また、保持片部と挿入片部とが直交状に配置され、かつ該保持片部と挿入片部の上端縁相互が連結片部を介して連結されて展開状態において略Ｌ字形を呈するように形成され、連結片部に対して保持片部と挿入片部とが夫々同一方向に略直角に屈曲している構成が提案される。
【００１１】
さらに、保持片部と挿入片部と連結片部とが、ＲＦＩＤタグの外装体により一体形成されている構成が提案される。
【発明の効果】
【００１２】
本発明は、上述したように、書籍類の外部に配置され、ＲＦＩＤタグを保持する保持片部と、該保持片部に連結片部を介して連成されて、書籍類内に抜き差し可能に挿入される挿入片部とを備えてなるＲＦＩＤタグの書籍類用取付けホルダーであるから、挿入片部を書籍類内に挿入することにより、保持片部に保持されたＲＦＩＤタグを書籍類の外部に位置させて該書籍類に簡単に取付けることができる一方、挿入片部を書籍類から抜き取ることにより、ＲＦＩＤタグを書籍類から簡単に取り外すことができる。これにより、書籍類の販売時にＲＦＩＤタグを書籍類から取り外し、所要データを更改すれば、該ＲＦＩＤタグを新たな書籍類に取付けて再度使用することができる。また、保持片部に保持されたＲＦＩＤタグを書籍類の外部に位置させて該書籍類に取付け得るので、書籍類が重ねられている場合や、ＲＦＩＤタグが光メディアのディスク面に近接している場合に発生し易い送受信障害を防止することができる。さらに、従来のように接着剤を用いることなく、書籍類内への挿入片部の挿入によってＲＦＩＤタグを書籍類に取付け得るので、ＲＦＩＤタグの取り外しに際して書籍類を損傷させることがなく、しかもその取付け、取り外しを極めて容易に行うことができる。
【００１３】
前記ＲＦＩＤタグの書籍類用取付けホルダーにあって、保持片部と挿入片部とが並列状に配置され、かつ該保持片部と挿入片部の上部側縁相互が連結片部を介して連結されて展開状態において略コ字形を呈するように形成され、保持片部に対して挿入片部が略直角に屈曲している構成にあっては、挿入片部を書籍類内に挿入すると、挿入片部と保持片部とを連結している連結片部が書籍類の上端を跨ぐ状態となることにより、挿入片部が書籍類内へ没入することがなく、挿入片部の抜き取り時には該没入防止片部を摘み部として、挿入片部の抜き取りを容易に行うことができる。
【００１４】
また、保持片部と挿入片部とが直交状に配置され、かつ該保持片部と挿入片部の上端縁相互が連結片部を介して連結されて展開状態において略Ｌ字形を呈するように形成され、連結片部に対して保持片部と挿入片部とが夫々同一方向に略直角に屈曲している構成にあっては、挿入片部を書籍類内に挿入すると、挿入片部と保持片部とを連結している連結片部が、書籍類の上端面に平行な状態で近接し、上方に突出しないため、書籍類の上方にスペースを確保する必要がなく、さらに化粧箱付きの書籍類にもＲＦＩＤタグを取付けることができる。
【００１５】
また、保持片部と挿入片部と連結片部とが、ＲＦＩＤタグの外装体により一体形成されている構成にあっては、製作時における部品点数が少なく、保持片部にＲＦＩＤタグを保持させる作業工程も不要であるため、製造コストを低減させることができる。
【図面の簡単な説明】
【００１６】
【図１】（Ａ）は第一実施例にかかるＲＦＩＤタグの書籍類用取付けホルダー１Ａの外観斜視図、（Ｂ）はその展開状態の正面図である。
【図２】（Ａ）はＲＦＩＤタグ５の一部切欠平面図、（Ｂ）は該ＲＦＩＤタグ５の縦断面図である。
【図３】（Ａ）はＲＦＩＤタグの書籍類用取付けホルダー１Ａを書籍１０の頁紙１１間に挿入した状態を示す外観斜視図、（Ｂ）はＲＦＩＤタグの書籍類用取付けホルダー１Ａを書籍１０の表紙１２ａと表紙カバー１０ａ間に挿入した状態を示す外観斜視図である。
【図４】（Ａ）は第二実施例にかかるＲＦＩＤタグの書籍類用取付けホルダー１Ｂの外観斜視図、（Ｂ）はその展開状態の平面図である。
【図５】（Ａ）は第二実施例にかかるＲＦＩＤタグの書籍類用取付けホルダー１Ｂを書籍１０に取付けた状態を示す外観斜視図、（Ｂ）は該書籍類用取付けホルダー１Ｂの、化粧箱１３を備えた書籍１０への取付け状態を示す外観斜視図である。
【図６】（Ａ）は第三実施例にかかるＲＦＩＤタグの書籍類用取付けホルダー１Ｃの展開状態の一部切欠正面図、（Ｂ）は変形実施例にかかるＲＦＩＤタグの書籍類用取付けホルダー１Ａの展開状態の一部切欠正面図である。
【発明を実施するための形態】
【００１７】
以下に、本発明の第一実施例を、図１〜図３に基づいて説明する。
第一実施例にかかるＲＦＩＤタグの書籍類用取付けホルダー１Ａは、図１（Ａ）に示すように、上下方向に長尺な帯板状に形成された保持片部２と、該保持片部２に連結片部３を介して連成された挿入片部４とを備えており、保持片部２の一面にＲＦＩＤタグ５が接着剤を用いて貼着することにより保持されている。該保持片部２と連結片部３及び挿入片部４は、図１（Ｂ）に示すように、並列状に配置された保持片部２と挿入片部４の上部側縁相互が連結片部３を介して連結されて、展開状態において略コ字形を呈するように合成樹脂の基材によって一体形成されており、保持片部２の側縁に沿った折り線ａで連結片部３及び挿入片部４が後方に向けて略直角に屈曲されている（図１（Ａ）参照）。
【００１８】
ここで、保持片部２と挿入片部４の各長さ寸法は同一であり、また、保持片部２と連結片部３と挿入片部４の各横幅寸法も同一となっている。そして、このような寸法関係で展開状態において形状が略コ字形となるように基材を切断加工することにより、歩留りが向上するようにしている。
【００１９】
前記保持片部２と連結片部３及び挿入片部４を構成する基材としては、ポリエチレンテレフタレート（ＰＥＴ），ポリプロピレン（ＰＰ），ポリアセタール（ＰＯＭ），ポリカーボネート（ＰＣ），ポリブチレンテレフタレート（ＰＢＴ），ポリフェニレンサルファイド（ＰＰＳ）等が適用され、これらの中でも硬質で引張り強さ，曲げ強さ，圧縮強さに優れ、かつ適宜の弾性を備えたポリエチレンテレフタレート（ＰＥＴ）やポリプロピレン（ＰＰ）が好適に用いられ得る。また、これらの基材は、厚み１８０〜２５０μｍのものが好適に用いられ得る。
【００２０】
前記ＲＦＩＤタグ５は、図２に示すように、合成樹脂製の支持シート６上にＩＣチップ７と、該ＩＣチップ７に接続されたアンテナ８とが配設され、その上部が合成樹脂製の保護シート９で被覆されている。このＲＦＩＤタグ５は厚み２５０μｍ程度に形成されている。また、前記支持シート６と保護シート９とによってＲＦＩＤタグ５の外装体が構成されている。このＲＦＩＤタグ５は、図示しない入出力装置（リーダ・ライタ）との間で電磁波を利用してコマンド，データ等の信号を非接触で送受信し得る非接触型の電池レスタイプとなっており、前記ＩＣチップ７が具備するメモリ（図示省略）には、入出力装置との交信により、書籍類の識別コード，書籍類名，出版社名または製作社名，発行日，著者名または著作権者名，販売価格等の所要データが書き換え可能に格納される。尚、ＲＦＩＤタグ５は、ＨＦ帯域（例えば13.56MHz），ＵＨＦ帯域（例えば953MHzや2.45GHz）等の何れの帯域で作動するものであってもよい。
【００２１】
次に、ＲＦＩＤタグの書籍類用取付けホルダー１Ａの使用態様について説明する。図３は、書籍類の一つとしての書籍１０にＲＦＩＤタグ５を取付ける場合の取付け例を示すものであって、図３（Ａ）に示すように、ＲＦＩＤタグ５が保持された挿入片部４を書籍１０の頁紙１１間に挿入したり、図３（Ｂ）に示すように、書籍１０の表紙１２ａと表紙カバー１０ａ間内に挿入することにより、ＲＦＩＤタグ５を書籍１０に簡単に取付けることができる。この時、保持片部２と挿入片部４とを連結している連結片部３が書籍１０の背表紙１２ｂの上端や表紙カバー１０ａの上端を跨ぐ状態となることにより、挿入片部４が書籍１０の頁紙１１間内または表紙１２ａと表紙カバー１０ａ間内へ没入することが防止される。また、保持片部２に保持されたＲＦＩＤタグ５を書籍類の外部に位置させて該書籍類に取付け得るので、書籍類が重ねられている場合や、ＲＦＩＤタグ５が光メディアのディスク面に近接している場合に発生し易い送受信障害を防止することができる。
【００２２】
一方、書籍１０の販売時には、挿入片部４を書籍１０から抜き取ることにより、ＲＦＩＤタグ５を書籍１０から簡単に取り外すことができる。そして、このように書籍１０から取り外したＲＦＩＤタグ５を、新たな書籍１０に取付けるとともにメモリ内の所要データを当該書籍１０に関するものに書き換えることにより、再度使用することができる。
【００２３】
また、従来のように接着剤を用いることなく、書籍１０内への挿入片部４の挿入によってＲＦＩＤタグ５を書籍１０に取付け得るので、ＲＦＩＤタグ５の取り外しに際して書籍１０を損傷させることがなく、しかもその取付け、取り外しを極めて容易に行うことができる。また、挿入片部４の抜き取り時には、書籍１０の上方に突出した連結片部３を摘み部とすることにより、挿入片部４の抜き取りを容易に行うことができる。
【００２４】
尚、図３（Ａ），（Ｂ）には、挿入片部４を書籍１０の頁紙１１間や表紙１２ａと表紙カバー１０ａ間内に挿入した例を示したが、これ以外に背表紙１２ｂの裏側に間隙が生じるように製本された書籍１０にあっては、該間隙内に挿入片部４を挿入することにより、ＲＦＩＤタグ５を書籍１０に着脱可能に取付けることが可能である。また、書籍１０以外の書籍類にあっても、記録済みＣＤ，ＤＶＤ，ブルーレイディスク等の光メディアを収納する収納ケースや、ゲームソフト等の各種アプリケーションが記録されたメモリーカード等の記録メディアを収納する包装箱を備えたものにあっては、これらの収納ケースや包装箱の筐体部と蓋部との間に生じている間隙内や、収納ケースとその表面に配設されているフィルムバインダーとの間に挿入片部４を挿入することにより、ＲＦＩＤタグ５を着脱可能に取付けることができる。
【００２５】
図４，図５は、本発明の第二実施例を示し、この第二実施例にかかるＲＦＩＤタグの書籍類用取付けホルダー１Ｂは、図４（Ｂ）に示すように、直交状に配置された保持片部２と挿入片部４の上端縁相互が連結片部３を介して連結されて、展開状態において略Ｌ字形を呈するように合成樹脂の基材によって一体形成されており、保持片部２と連結片部３を区画する境界線上の折り線ｂと、保持片部２の側縁に沿った折り線ｃで、連結片部３に対して保持片部２と挿入片部４とが夫々下方向に略直角に屈曲されている（図４（Ａ）参照）。その他、第一実施例と共通する構成部分については、第一実施例と同一の符号を付して重複説明を省略する。
【００２６】
かかる構成にあっては、図５（Ａ）に示すように、挿入片部４を書籍１０の頁紙１１間（または、書籍１０の表紙１２ａと表紙カバー１０ａ間（図３（Ｂ）参照））に挿入すると、挿入片部４と保持片部２とを連結している連結片部３が、書籍１０の上端面に平行な状態で近接し、上方に突出しないため、書籍１０の上方に連結片部３の突出を許容するスペースを確保する必要がない。また、このように連結片部３が上方に突出しないため、図５（Ｂ）に示すように、化粧箱１３付きの書籍１０にもＲＦＩＤタグ５を取付けることができる。
【００２７】
図６は、本発明の第三実施例を示し、この第三実施例にかかるＲＦＩＤタグの書籍類用取付けホルダー１Ｃは、保持片部２と連結片部３と挿入片部４とが、ＲＦＩＤタグ５の外装体によって一体形成されている。即ち、上述したように、ＲＦＩＤタグ５の外装体は、ＩＣチップ７とアンテナ８とを支持する合成樹脂製の支持シート６と、その上部を被覆する合成樹脂製の保護シート９とによって構成されているが、この支持シート６と保護シート９とによって保持片部２と連結片部３と挿入片部４とを一体形成したものである。
【００２８】
かかる構成にあっては、製作時における部品点数が少なくて済み、保持片部２にＲＦＩＤタグ５を保持させる作業工程も不要であるため、製造コストを低減させることができる。
【００２９】
尚、第一実施例及び第二実施例では、ＲＦＩＤタグ５を保持片部２の一面に貼着することにより保持するようにしているが、これに代えて、図６（Ｂ）に示す変形実施例のように、一体形成した保持片部２と連結片部３及び挿入片部４を表裏一対にして積層し、支持シート６上にＩＣチップ７とアンテナ８とを配設して上部を保護シート９で被覆したＲＦＩＤタグ５を、両保持片部２，２間に介装させて保持することも可能である。また、この場合、表面側または裏面側は連結片部３及び挿入片部４を除去して保持片部２のみとしてもよい。
【産業上の利用可能性】
【００３０】
本発明にかかるＲＦＩＤタグの書籍類用取付けホルダー１Ａ，１Ｂ，１Ｃは、書籍類に対する着脱が容易であるため、一般的な開架式の書店で使用すると消費者によって持ち去られたり、異なる書籍類間で差し替えられたりするいたずらを受ける可能性がある。従って、その運用態様としては、インターネットショップの書籍類倉庫や図書館の閉架における書籍類管理に有効である。例えば、インターネットショップでは、インターネットを通じて購入注文を受けると、その書籍類を倉庫内で探し出して配送しているのであるが、書籍類用取付けホルダー１Ａ，１Ｂ，１ＣによってＲＦＩＤタグ５を書籍類に取り付けておけば、倉庫内での書籍類の探し出し作業が容易にでき、同時に在庫管理も可能となる。また、本発明にかかるＲＦＩＤタグの書籍類用取付けホルダー１Ａ，１Ｂ，１Ｃを用いることにより、高価な古本も傷を付けることなく管理可能であり、書籍類の価値を損なうことがない。
【符号の説明】
【００３１】
１Ａ〜１Ｃ  書籍類用取付けホルダー
２  保持片部
３  連結片部
４  挿入片部
５  ＲＦＩＤタグ
６  支持シート（外装体）
７  ＩＣチップ
８  アンテナ
９  保護シート（外装体）
１０  書籍（書籍類）
【図１】
2011020308.tif 000003
【図２】
2011020308.tif 000004
【図３】
2011020308.tif 000005
【図４】
2011020308.tif 000006
【図５】
2011020308.tif 000007
【図６】
2011020308.tif 000008